(57)【要約】【課題】フェライトの磁気飽和を防止して，歪の発生を防止する。【解決手段】導線をフェライトに巻回してなるトランスを備えた分配回路備えた分配器において，前記入力端子と前記分配回路の間に，第１の周波数帯の信号を通過し，該第１の周波数帯より低い周波数である第２の周波数帯の信号の通過を阻止する第１のフィルタ手段を備え，前記分配回路と複数の出力端子の内の特定の１つの出力端子の間に，第１の周波数帯の信号を通過し，該第１の周波数帯より低い周波数帯である第２の周波数帯域の信号の通過を阻止する第２のフィルタ手段を備え，前記入力端子と前記第１のフィルタ手段との相互接続点と，前記第２のフィルタ手段と前記特定の１つの出力端子との相互接続点の間に，前記第２の周波数帯の信号を通過し，第１の周波数帯の信号の通過を阻止する第３のフィルタ手段を備えた。【選択図】  図１
2007300178.tif 000002
【特許請求の範囲】
【請求項１】
入力端子から信号を受入れ，分配回路を介して分配し，複数の出力端子に出力するようにした分配器において，
前記入力端子と前記分配回路の間に，第１の周波数帯の信号を通過し，該第１の周波数帯より低い周波数である第２の周波数帯の信号の通過を阻止する第１のフィルタ手段を備え，
前記分配回路と複数の出力端子の内の特定の１つの端子の間に，第１の周波数帯の信号を通過し，該第１の周波数帯より低い周波数帯である第２の周波数帯域の信号の通過を阻止する第２のフィルタ手段を備え，
前記入力端子と前記第１のフィルタ手段との相互接続点と，前記第２のフィルタ手段と前記特定の１つの出力端子との相互接続点の間に，前記第２の周波数帯の信号を通過し，第１の周波数帯の信号の通過を阻止する第３のフィルタ手段を備え，
たことを特徴とした分配器。
【請求項２】
入力端子から信号を受入れ，分岐回路を介して分岐し，出力端子及び分岐端子に出力するようにした分岐器において，
前記入力端子と前記分岐回路の間に，第１の周波数帯の信号を通過し，該第１の周波数帯より低い周波数である第２の周波数帯の信号の通過を阻止する第１のフィルタ手段を備え，
前記分岐回路と出力端子若しくは分岐端子の内の特定の１つの端子の間に，第１の周波数帯の信号を通過し，該第１の周波数帯より低い周波数帯である第２の周波数帯域の信号の通過を阻止する第２のフィルタ手段を備え，
前記入力端子と前記第１のフィルタ手段との相互接続点と，前記第２のフィルタ手段と前記特定の１つの端子との相互接続点の間に，前記第２の周波数帯の信号を通過し，第１の周波数帯の信号の通過を阻止する第３のフィルタ手段を備え，
たことを特徴とした分岐器。
【請求項３】
入力端子と前記特定の１つの端子を除く全て若しくは一部の端子との間には，電流を通過させるための電流通過回路を備えたことを特徴とした請求項１又は請求項２のいずれか一項に記載の分配器。
【請求項４】
前記分配若しくは分岐回路は，導線をフェライトに巻回してなるトランスを備えて成ることを特徴とした請求項１乃至請求項３のいずれか一項に記載の分配若しくは分岐器。
【請求項５】
前記第１の周波数帯は，双方向ＣＡＴＶシステムにおける下リ周波数帯を下限とする帯域であり，
前記第２の周波数帯は，双方向ＣＡＴＶシステムにおける上り周波数帯とする，
ことを特徴とした請求項１乃至請求項４のいずれか一項に記載の分配若しくは分岐器。
【発明の詳細な説明】
【技術分野】
【０００１】
本発明は，主に双方向ＣＡＴＶシステムに使用される分配器に関し，詳しくはその分配器の回路構成に関する。
【背景技術】
【０００２】
フェライトコアを利用した分岐トランスや分配トランスは，雷などによって発生した大きなサージ電圧が加わった場合，トランスに使用されているフェライトが磁化されて磁気飽和することが報告されている。
そのため，例えば分配トランスから成る分配回路を備えた分配器のようなＣＡＴＶ機器において，分配トランスが磁気飽和している場合，上り側入出力端子（上り信号出力端子下り信号入力端子）にＣＡＴＶ信号が加わると，その中に含まれるＴＶ信号の相互変調の重畳による歪が発生することになる。この歪成分はＣＡＴＶシステムの周波数帯域に全般にわたって発生するのであるが，特に上り周波数帯域においては，上り周波数帯域を使ってデータ通信を行うため，歪成分による影響が無視できないものとなる。
そこで，分配回路よりも上り側入出力端子と下り側入出力端子（上り信号入力端子下り信号出力端子）側に，前記ＣＡＴＶ信号の下限周波数より低い周波数帯（例えば，１０ＭＨｚ以下の周波数帯）をカットするハイパスフィルタを設けた例が提案されており，これによればハイパスフィルタがサージの侵入を阻止するため，分配器が例えば雷のような強いサージ電圧を受けても磁気飽和を起さなくなる。
（例えば，特許文献１参照）
【０００３】
【特許文献１】特開２００２−２０４４９３号公報
【発明の開示】
【発明が解決しようとする課題】
【０００４】
ところで，双方向ＣＡＴＶシステムを使ってデータ通信を行うためには，加入者側にケーブルモデムを設ける必要がある。そして，その構成は，一般的に端末側に例えば分配器を備え，分配器の下り側入出力端子の一つにはケーブルモデムを接続し，ケーブルモデムから送出される上り信号を，分配器を介してＣＡＴＶシステムに送出し，残りの下り側入出力端子にはＳＴＢ（Ｓｅｔ  Ｔｏｐ  Ｂｏｘ）等を接続し，分配器を介して送られてくるＣＡＴＶシステムからの下り信号を受入れるように構成される。そして，このケーブルモデムの運用時における上り信号レベルは，データ通信を流合雑音等の妨害を受けず良好に行うために，最大１１８ｄＢμＶの高出力なレベルの信号が出力される。一般的に端末側における下り信号レベルは７０〜８５ｄＢμＶとされており，この下り信号のレベルと比較しても上り信号のレベルが非常に大きく，ケーブルモデムから送出される上り信号によって，分配器の分配回路に備えたトランスが磁気飽和して歪が発生し，この歪成分によって妨害が発生すると言った問題が考えられる。
【０００５】
この歪の発生の状態を実験的に確認したものを図３及び図４に示す。尚，図３（ａ）は歪の測定に使用した一般的な分配器の構成図であり，図３（ｂ）は歪の測定系統図を示している。図４（ａ）は図３（ｂ）に示す分配器の下り側入出力端子３２に入力されるＣＷ信号発生器からＣＷ信号のレベルを示し，図４（ｂ）は図３（ｂ）に示す分配回路の下り側入出力端子３１におけるの出力信号のレベルを示す。（ｃ）はＣＷ信号のレベルが異なる場合の出力信号のレベルを示し，夫々スペクトルアナライザーで測定したデータである。
この実験方法は，２分配器を一例として，この分配器の一方の下り側入出力端子３２にＣＷ信号を入力し，他方の下り側入出力端子３１に出力される信号を測定する方法で行われたものである。尚，上り側入出力端子３は７５Ωで終端されている。この実験結果によると，分配器の一方の下り側入出力端子３２に，上り信号として例えば４６．４ＭＨｚのＣＷ信号を入力し，分配器の他方の下り側入出力端子３１に表れる信号をスペクトルアナライザーで測定すると，基本の４６．４ＭＨｚのＣＷ信号と，その２倍の高調波，即ち歪成分が測定され，入力するＣＷ信号が１１８ｄＢμＶの時は，この２次高調波のレベルの実測値は４７．８１ｄＢμＶであり，一般的な下り信号のレベルが上記のように７０〜８５ｄＢμＶであることから，そのＤＵ比は２３〜３８ｄＢ程になる。また，入力するＣＷ信号が１１０ｄＢμＶの時は，この２次高調波のレベルの実測値は３１．６ｄＢμＶであり，入力レベルと歪は略１：２の変化量を示している。
この実験の条件は，ケーブルモデムから送出される実際の上り信号の替わりに，同じレベルのＣＷ信号を用いて行ったものであり，実際のケーブルモデムから送出される上り信号が，バースト状の信号でしかもディジタル変調のためにエネルギー分散していることから考えると，実際の信号を使った実験とは条件が異なるのであるが，ケーブルモデムからの高レベルの上り信号でトランスのフェライトが磁気飽和し，これによって生じた２次高調波が，下り信号の受信に影響が与える場合が考えられる。
そこで本願においては，こうした問題点を解決するためになされたものであり，
その目的は，ケーブルモデムからの高レベルな上り信号が加わってもフェライトコアの磁気飽和を防止して，下り周波数帯域に発生する歪を確実に防止する分配器を提案することにある。
他の目的は，ＣＡＴＶシステムからの下り信号が加わっても，上り周波数帯域に発生する歪を確実に防止する分配器を提案することにある。
【課題を解決するための手段】
【０００６】
上記課題を解決するために，請求項１の発明は，入力端子から信号を受入れ，分配回路を介して分配し，複数の出力端子に出力するようにした分配器において，
前記入力端子と前記分配回路の間に，第１の周波数帯の信号を通過し，該第１の周波数帯より低い周波数である第２の周波数帯の信号の通過を阻止する第１のフィルタ手段を備え，前記分配回路と複数の出力端子の内の特定の１つの端子の間に，第１の周波数帯の信号を通過し，該第１の周波数帯より低い周波数帯である第２の周波数帯域の信号の通過を阻止する第２のフィルタ手段を備え，前記入力端子と前記第１のフィルタ手段との相互接続点と，前記第２のフィルタ手段と前記特定の１つの出力端子との相互接続点の間に，前記第２の周波数帯の信号を通過し，第１の周波数帯の信号の通過を阻止する第３のフィルタ手段を備えるように構成される。
【０００７】
請求項２の発明は，入力端子から信号を受入れ，分岐回路を介して分岐し，出力端子及び分岐端子に出力するようにした分岐器において，
前記入力端子と前記分岐回路の間に，第１の周波数帯の信号を通過し，該第１の周波数帯より低い周波数である第２の周波数帯の信号の通過を阻止する第１のフィルタ手段を備え，
前記分岐回路と出力端子若しくは分岐端子の内の特定の１つの端子の間に，第１の周波数帯の信号を通過し，該第１の周波数帯より低い周波数帯である第２の周波数帯域の信号の通過を阻止する第２のフィルタ手段を備え，
前記入力端子と前記第１のフィルタ手段との相互接続点と，前記第２のフィルタ手段と前記特定の１つの端子との相互接続点の間に，前記第２の周波数帯の信号を通過し，第１の周波数帯の信号の通過を阻止する第３のフィルタ手段を備えるように構成される。
【０００８】
請求項３の発明は，請求項１又は請求項２のいずれか一項に記載の分配若しくは分配器器において，入力端子と前記特定の１つの端子を除く全て若しくは一部の端子との間には，電流を通過させるための電流通過回路を備えるように構成される。
【０００９】
請求項４の発明は，請求項１乃至請求項３のいずれか一項に記載の分配若しくは分岐器において，前記分配若しくは分岐回路は，導線をフェライトに巻回してなるトランスを備えて成るように構成される。
【００１０】
請求項５の発明は，請求項１乃至請求項４のいずれか一項に記載の分配若しくは分岐器において，前記第１周波数帯は，双方向ＣＡＴＶシステムにおける下リ周波数帯を下限とする帯域であり，前記第２の周波数帯は，双方向ＣＡＴＶシステムにおける上り周波数帯とするように構成される。
【発明の効果】
【００１１】
本発明の分配若しくは分岐器によれば，例えトランスのフェライトが雷などのサージによって磁気飽和してしまって，入力端子に加わったＣＡＴＶ信号に含まれるＴＶ信号の相互変調の重畳による歪が発生したとしても，この歪成分の内，特に上り周波数帯域に発生する歪成分は，第２のフィルタ手段によって阻止され出力端子側に出力されることはなく，ＣＡＴＶシステムの上り周波数帯域を伝送する上り信号に妨害を与えたり，流合雑音としてＣＡＴＶセンター局側に送出されたりすることがなく，良好なデータ通信を行うことができるのである。
また，分配器の特定の１つの出力端子にケーブルモデムから出力される高レベルな上り信号が入力されたとしても，この上り信号は特定の１つの出力端子から第３のフィルタ手段，入力端子を通過する信号経路を介してＣＡＴＶシステムに送出され，その上り信号は第１のフィルタ手段，第２のフィルタ手段によって分配回路若しくは分岐回路に入力されるのが阻止されるため，トランスのフェライトが上り信号によって磁気飽和することを防止するし，例えサージ等によって磁気飽和していても高調波が発生しないので，下り信号に妨害を与えることはなく，良好な下り信号の受信が可能となるのである。
【００１２】
そして，第１の周波数帯を地上ディジタルテレビや衛星アンテナからの中間周波数帯を伝送するように広帯域にしておけば，衛星アンテナやテレビブースタを備えたテレビ受信システムにおいて，端末側に備えたチューナや電源部からこの分配器を介して衛星アンテナのコンバータやテレビブースタに電源が供給でき，ＣＡＴＶシステムに限定されず，テレビ受信システムにも使用できる汎用性の高い分配器若しくは分岐器を提供できる。
【発明を実施するための最良の形態】
【００１３】
（第１の実施形態）
以下に，本発明を具体化した第１の実施形態の例を，図１を基に詳細に説明する。
図１（ａ）において１は本発明に係る実施形態の分配器であり，上り側入出力端子（以下，説明が容易となるように入力端子と記載する。）３と分配回路１０の間には，第１の周波数帯の信号を通過し，該第１の周波数帯より低い周波数である第２の周波数帯の信号の通過を阻止する第１のフィルタ手段１１が挿入されている。この第１の周波数帯は例えば７０〜２６５５ＭＨｚの信号であり，第２の周波数帯は１０〜５５ＭＨｚであり，第１のフィルタ手段１１は第１の周波数帯である７０〜２６５５ＭＨｚの信号を支障なく通過し，第２の周波数帯である１０〜５５ＭＨｚの信号の通過を阻止する，例えば図には示されていないコンデンサやコイルから成るハイパスフィルタから構成されている。
【００１４】
そして，前記分配回路１０と複数の下り側入出力端子（本発明の実施形態では２分配器を用いて説明してあるので２つ備えている。以下，説明が容易と成るように出力端子と記載する。）の内の特定の１つの出力端子３２の間には，前記第１の周波数帯の信号を通過し，該第１の周波数帯より低い周波数帯である前記第２の周波数帯域の信号の通過を阻止する第２のフィルタ手段１２が挿入されている。本発明の実施形態におけるこの第２のフィルタ手段１２は，前記第１のフィルタ手段１１と略等しい通過帯域特性を有したものであり，第１の周波数帯である７０〜２６５５ＭＨｚの信号を支障なく通過し，第２の周波数帯である１０〜５５ＭＨｚの信号の通過を阻止する，例えば，図には示されていないコンデンサやコイルから成るハイパスフィルタから構成されている。 
【００１５】
そして，前記入力端子３と前記第１のフィルタ手段１１との相互接続点と，前記第２のフィルタ手段１２と前記出力端子３２との相互接続点の間には，前記第２の周波数帯の信号を通過し，前記第１の周波数帯の信号の通過を阻止する第３のフィルタ手段１３を備えている。本発明の実施形態における第２の周波数帯は例えば１０〜５５ＭＨｚの信号であり，この第３のフィルタ手段１３は１０〜５５ＭＨｚの信号を支障なく通過し，７０〜２６５５ＭＨｚの信号の通過を阻止する，例えば，図には示されていないコンデンサやコイルから成るローパスフィルタから構成されている。つまり，本発明の実施形態によれば，出力端子３２は「上り信号入力端子下り信号出力端子」であるデータ端子となるのである。
そして，分配回路１０の残りの出力端は出力端子３１と接続されており，出力端子３１は「下り信号出力端子」となる。以上，本発明の実施形態の分配器によれば，複数の出力端子の内の１つはケーブルモデム接続専用の「上り信号入力端子下り信号出力端子」であり，他の出力端子は「下り信号出力端子」であるテレビ端子となるように構成されているのである。
【００１６】
このように構成された分配器１について図１の分配器の構成図及び図２のシステム構成図を用いて更に説明する。
図２には示されていないＣＡＴＶセンター局から送出された下り信号は，幹線分配増幅器２１，幹線分岐増幅器２２，分岐増幅器２３，タップオフ２４，保安器２５などを介して加入者宅内に引き込まれる。そして引き込まれた下り信号は分配器１において２分配される。
分配器１の入力端子３に入力された下り信号は入力端子３，第１のフィルタ手段１１，分配回路１０，出力端子（テレビ端子）３１からなる第１の信号経路を介して出力される。そして，この分配器１の出力端子３１にはＳＴＢ２６などが接続されており，テレビ２７でテレビ放送や自主放送を楽しむことができる。また，入力端子３に入力された下り信号は入力端子３，第１のフィルタ手段１１，分配回路１０，第２のフィルタ手段１２，出力端子（データ端子）３２からなる第２の信号経路を介して出力されている。この出力端子３２にはケーブルモデム２８が接続されており，このケーブルモデムを介してＰＣ（パソコン）等はＣＡＴＶセンター局，更にはインターネット等のＷＡＮからのデータを受信することができる。
また，ＰＣ２９側からＷＡＮ等へのデータは，ケーブルモデム２８において上り信号に変調されて送出される。この上り信号はデータ端子３２，第３のフィルタ手段１３，入力端子３からなる第３の信号経路を介してＣＡＴＶシステムへ送出されるのである。
【００１７】
このように本発明の実施例に係る分配器によれば，例えトランスが雷などのサージによって磁気飽和しいて，入力端子３に加わったＣＡＴＶ信号に含まれるＴＶ信号の相互変調の重畳による歪が発生したとしても，この歪成分の内，特にデータ通信に使用する上り周波数帯域に発生する歪成分は，第２のフィルタ手段１２によって阻止されデータ端子３２側に出力されることはなく，ＣＡＴＶシステムの上り周波数帯域に伝送される上り信号に妨害を与えたり，流合雑音としてＣＡＴＶセンター局側に送出されたりすることがなく，良好なデータ通信を行うことができるのである。
また，ケーブルモデム２８から出力される，高レベルな上り信号が分配器１のデータ端子３２から入力されたとしても，この上り信号は第３の信号経路を介してＣＡＴＶシステムに送出され，その上り信号は第１のフィルタ手段１１，第２のフィルタ手段１２によって分配回路１０に入力されるのが阻止されるため，トランスが上り信号によって磁気飽和することを防止するし，例え磁気飽和していても上り信号がトランスに入力されず２次高調波が発生しないので，下り信号に妨害を与えることはなく，良好な下り信号の受信が可能となるのである。
尚，図１（ａ）においてＣ２，Ｃ４，Ｃ６は，上記第１の周波数帯及び第２の周波数帯の信号を通過し，直流電流及び低周波電流の通過を阻止するようにその値が決められたコンデンサである。このコンデンサはフィルタ手段の組み合わせにおいては無くてもよい。
【００１８】
（第２の実施形態）
次に本発明の第２の実施形態として図１（ｂ）を参照して説明する。尚，以下の説明では，上記第１の実施形態の分配器１と同様の構成要素については同一符号を付与し，詳細な説明は省略する。                            
【００１９】
この実施形態では，例えば入力端子３と出力端子３１との間に電流を通過させるための電流通過回路１５を備えたものである。この実施例において，Ｃ１，Ｃ５，Ｃ７は入出力端子３，３１の接地側と接地との間に挿入されたコンデンサであり，高周波的に入出力端子を接地し，直流的には入出力端子の接地側と接地とを分離している。
Ｃ２，Ｃ４，Ｃ６は信号線に介在させたコンデンサであり，高周波信号を通過し，直流電流や低周波電流を遮断している。
この第２実施形態に係る分配器によれば，電流通過回路１５を備えることによって，例えば衛星アンテナやテレビブースタを備えたテレビ受信システムにおいて，端末側に備えた図には示されていないチューナや電源部からこの分配器を介して電源が供給でき，上述のようなＣＡＴＶシステムに限定されず，テレビ受信システムにも使用できる汎用性の高い分配器を提供できる。
尚，このコンデンサの配置は一実施例を示すものであり，特にこの実施例に限定されるものではなく，必要に応じて配置すればよい。
以上，本発明に係る実施形態について説明したが，上記実施の形態に限定されるものではなく，以下に例示するように，本発明の趣旨を逸脱しない範囲で各部の構成を適宜に変更して実施することも可能である。
図１に示すように，本願の実施形態においては，説明を簡単に行うために２分配を用いて説明したが，特にこの実施例に限定されるものではなく，その分配数は２分配より多くてもよい。
また，分配器の変わりに図５に示すように分岐器２でもよく，この実施例の場合，前記第２の信号経路は，入力端子３，第１のフィルタ手段１１，分岐回路２０，前記データ端子３２からなり，前記データ端子３２に相当するのは分岐回路２０の分岐端子である。尚，図には示されていないが，分岐回路２０の出力端子を介するように第２信号経路を形成してもよく，この場合，前記テレビ端子３１に相当するのは分岐回路２０の分岐端子である。
【図面の簡単な説明】
【００２０】
【図１】（ａ）は本発明に係る分配器の第１実施形態を示し，（ｂ）は本発明に係る分配器の第２実施形態を示している。
【図２】本発明に係る分配器を用いたＣＡＴＶシステムの概略構成図である。
【図３】（ａ）は歪の測定に使用した一般的な分配器の構成図であり，図３（ｂ）は歪の測定系統図を示している。
【図４】（ａ）は図３（ｂ）に示す分配器の出力端子３２に入力されるＣＷ信号発生器からＣＷ信号のレベルを示し，図４（ｂ）は図３（ｂ）に示す分配回路の出力端子３１におけるの出力信号のレベルを示す。（ｃ）はＣＷ信号のレベルが異なる場合の出力端子３１における出力信号のレベルを示し，夫々スペクトルアナライザーで測定したデータである。
【図５】本発明に係る分岐器の実施形態を示す構成図である。
【符号の説明】
【００２１】
１・１０…分配器，２…分岐器，３…入力端子，１１…第1のフィルタ手段，１２…第２のフィルタ手段，１３…第３のフィルタ手段，１５…電流通過回路，２０…分岐回路，２６…ＳＴＢ（端末側装置），２７…テレビ，２８…ケーブルモデム，２９…パソコン，３１…出力端子（下り信号出力端子＝テレビ端子），３２…出力端子（上り信号入力端子下り信号出力端子＝データ端子）。
【図１】
2007300178.tif 000003
【図２】
2007300178.tif 000004
【図３】
2007300178.tif 000005
【図４】
2007300178.tif 000006
【図５】
2007300178.tif 000007